(57)【要約】【課題】圧縮画像を表示する画像表示装置において、期待された時間に迅速に画像をモニタ表示可能とする技術を提供することを課題とする。【解決手段】ＦＬＡＳＨメモリ２には、圧縮画像データＡＤが格納されている。画像表示装置１０の起動時に、ＣＰＵ１は、圧縮画像データＡＤを伸張して、メインメモリ３に画像データＢＤとして格納する。画像表示装置１０の稼動状態において、外部から画像の表示指示が不定期に与えられると、ＣＰＵ１は表示コントローラＩＣ４に画像の表示命令を行う。表示コントローラＩＣ４は、メインメモリ３に格納された画像データＢＤを読み出すとともに画像メモリ５に描画データを生成し、描画データを表示パネル６に表示する。【選択図】　　　　図１
2004125866.tif 000002
【特許請求の範囲】
【請求項１】
画像表示装置により圧縮画像をモニタ表示する方法であって、
前記画像表示装置の起動時において、第１の記憶手段に格納された圧縮画像データを伸張するとともに、伸張後の画像データを第２の記憶手段に格納する工程と、
前記画像表示装置の稼動時において、前記第２の記憶手段に格納された前記画像データに基づいてモニタに対する画像の表示処理を行う工程と、
を備えることを特徴とする画像表示方法。
【請求項２】
請求項１に記載の画像表示方法において、
前記第２の記憶手段は、前記第１の記憶手段に比して、データアクセスが高速な記憶手段であることを特徴とする画像表示方法。
【請求項３】
請求項１または請求項２に記載の画像表示方法において、
前記第２の記憶手段は、前記画像表示装置のメインメモリを含むことを特徴とする画像表示方法。
【請求項４】
請求項１ないし請求項３のいずれかに記載の画像表示方法において、
前記画像表示装置に対する画像の表示指示は、前記画像表示装置を備えた所定の機器の動作に応じて不定期に発生されることを特徴とする画像表示方法。
【請求項５】
請求項４に記載の画像表示方法において、
前記表示指示が発生した時点から画像が表示されることが期待されるまでの期間は、前記圧縮画像データを伸張処理する期間と伸張された画像データを表示処理する期間とを加算した期間より短い期間であることを特徴とする画像表示方法。
【発明の詳細な説明】
【０００１】
【発明の属する技術分野】
本発明は、画像表示装置による圧縮画像の表示方法に関する。
【０００２】
【技術背景と発明が解決しようとする課題】
画像データを表示する画像表示装置において、メモリやハードディスクなどの容量を節約するために、画像データは圧縮画像データとして保存される。そして、画像を表示する際には、圧縮画像データを伸張し、元の画像データを復元する処理が行われる。
【０００３】
パソコンなどを用いて一般ユーザが画像を参照するような場合であれば、それ程の高速性は要求されないため、圧縮画像の伸張処理時間が致命的な問題となることはない。
【０００４】
しかし、画像表示装置に対して画像表示の高速性が要求される場合がある。たとえば、エレベータ内に設置された画像表示装置において、エレベータの到着階数に応じて画像表示装置が即座に到着階に適したメッセージを表示することが要求されているような場合である。
【０００５】
エレベータの昇降動作は、搭乗者の指定操作によって確定されるため、いつ、どの階に到着するかという情報は直前まで得ることができない。
【０００６】
図４において、時刻ｔ１は、到着階数についての情報が得られる時刻であり、時刻ｔ２は、画像を表示することが期待される時刻である。そして、期間ａは、圧縮画像データの伸張処理期間であり、期間ｂは、画像データの表示処理期間である。
【０００７】
この図が示す処理では、ＦＬＡＳＨメモリやハードディスクに圧縮画像データが保存されており、時刻ｔ１において、到着階数についての情報が得られた時刻から伸張処理を行っている。このため、伸張処理および表示処理が終了した時点では、画像を表示することが期待された時刻ｔ２を過ぎている。
【０００８】
ここで、ＪＰＥＣ等の圧縮画像データの伸張処理期間は、圧縮されている元の画像に依存している。したがって、元の画像によっては、伸張処理期間が短く、時刻ｔ２までに伸張処理および表示処理が終了するような場合もある。このような場合には、表示処理が期待される時刻ｔ２に行われることとなるが、元の画像によっては、図４で示したような事態が発生し、期待される時間より少し遅れて画像表示が行われていた。つまり、元の画像の内容によって、伸張処理期間が変化するため、圧縮画像を表示するまでの最長時間を規定することができないのである。
【０００９】
また、ＲＡＭよりアクセス処理の遅いＦＬＡＳＨメモリやハードディスクに圧縮画像データが格納されているため、データの読み出し時間が長くかかるという問題もあった。
【００１０】
そこで、本発明は前記問題点に鑑み、圧縮画像データを表示する画像表示装置において、元の画像の内容に依存することなく、期待される時間に迅速に画像を表示させることを可能とする技術を提供することを目的とする。
【００１１】
【課題を解決するための手段】
上記課題を解決するため、請求項１記載の発明は、画像表示装置により圧縮画像をモニタ表示する方法であって、前記画像表示装置の起動時において、第１の記憶手段に格納された圧縮画像データを伸張するとともに、伸張後の画像データを第２の記憶手段に格納する工程と、前記画像表示装置の稼動時において、前記第２の記憶手段に格納された前記画像データに基づいてモニタに対する画像の表示処理を行う工程と、を備えることを特徴とする。
【００１２】
請求項２記載の発明は、請求項１に記載の画像表示方法において、前記第２の記憶手段は、前記第１の記憶手段に比して、データアクセスが高速な記憶手段であることを特徴とする。
【００１３】
請求項３記載の発明は、請求項１または請求項２に記載の画像表示方法において、前記第２の記憶手段は、前記画像表示装置のメインメモリを含むことを特徴とする。
【００１４】
請求項４記載の発明は、請求項１ないし請求項３のいずれかに記載の画像表示方法において、前記画像表示装置に対する画像の表示指示は、前記画像表示装置を備えた所定の機器の動作に応じて不定期に発生されることを特徴とする。
【００１５】
請求項５記載の発明は、請求項４に記載の画像表示方法において、前記表示指示が発生した時点から画像が表示されることが期待されるまでの期間は、前記圧縮画像データを伸張処理する期間と伸張された画像データを表示処理する期間とを加算した期間より短い期間であることを特徴とする。
【００１６】
【発明の実施の形態】
＜装置の機能概略＞
以下、図面を参照しつつ本発明の実施の形態について説明する。図１は、画像表示装置１０の機能ブロック図である。
【００１７】
画像表示装置１０は、ＣＰＵ１、ＦＬＡＳＨメモリ（Ｆｌａｓｈ−ＥＥＰＲＯＭ）２、メインメモリ３、表示コントロールＩＣ４、画像メモリ（ＶＲＡＭ）５、表示パネル６等を備えている。これら各部品は、ＣＰＵバスやメモリバスなどを介して接続されている。
【００１８】
ＦＬＡＳＨメモリ２には、画像表示装置１０が表示させる画像の圧縮データである圧縮画像データＡＤが格納されている。画像表示装置１０で、さまざまな画像を表示させる場合には、圧縮画像データＡＤは、複数画像の圧縮データを示している。圧縮画像データＡＤのデータフォーマットとしては、たとえば、ＪＰＥＧなどが存在する。
【００１９】
メインメモリ３は、たとえば、ＤＲＡＭなどからなり、圧縮画像データＡＤを伸張したのちの復元データである画像データＢＤが格納される。
【００２０】
表示コントロールＩＣ４は、ＣＰＵ１からの画像の表示命令にしたがって、画像メモリ５に描画データを生成する機能および画像メモリ５に生成された描画データを表示パネル６に表示させる機能を備えている。
【００２１】
ＣＰＵ１は、圧縮画像データＡＤの伸張処理を行う機能、表示コントローラＩＣ４に対して画像の表示命令を行う機能などを備えている。
【００２２】
図２に示すように、本実施の形態において、画像表示装置１０は、エレベータ２０の案内表示用に設置されている。そして、エレベータ２０に備えられたセンサ２１からエレベータ２０の到着階数に関する情報が画像表示装置１０に転送されるようになっている。
【００２３】
画像表示装置１０では、センサ２１から到着階数に関する情報を受信すると、ＣＰＵ１が表示画像を決定し、画像の表示命令を表示コントローラＩＣ４に送出するようにしている。
【００２４】
＜処理の流れ＞
以上のような構成の画像表示装置１０における画像の表示処理の流れについて説明する。
【００２５】
まず、電源が投入され画像表示装置１０が起動すると、ＣＰＵ１は、ＦＬＡＳＨメモリ２に格納されている圧縮画像データＡＤの伸張処理を実行する。そして、伸張後の復元された画像データＢＤをメインメモリ３に格納する。このようにして、本発明においては、起動時に（すなわち、画像表示装置１０が実際の動作を開始する前に）、表示すべき画像の全てについて圧縮画像データＡＤの伸張処理を行い、伸張後の全ての画像データＢＤをメインメモリ３に格納するようにしている。
【００２６】
なお、画像表示装置１０が起動されるのは、画像表示装置１０を備える機器が稼動状態となる場合である。したがって、本実施の形態であれば、エレベータ２０の運転開始時刻に合わせて画像表示装置１０が起動される。
【００２７】
圧縮画像データＡＤの伸張処理が終了し、画像データＢＤがメインメモリ３に格納された状態で、エレベータ２０の運転が開始され、画像表示装置１０も稼動状態となる。
【００２８】
次に、エレベータ２０が搭乗者の操作指示に応じて昇降運動をし、ある階数に近づくと、センサ２１が階数に関する情報を画像表示装置１０に送信する。このセンサ２１から送信される階数に関する情報が、画像表示装置１０に対して行われる画像の表示指示に対応する。このように、画像表示装置１０は、エレベータ２０の動作によって不定期に画像の表示指示を受けることになる。
【００２９】
画像表示装置１０では、センサ２１からの指示を受けると、ＣＰＵ１が当該階数に応じた画像の表示内容を決定し、表示コントロールＩＣ４に対して画像の表示命令を行う。
【００３０】
表示コントロールＩＣ４は、ＣＰＵ１からの画像の表示命令を受けると、メインメモリ３から該当する画像データＢＤを読み出し、画像メモリ５上に描画データを生成する。そして、表示コントローラＩＣ４は、生成された描画データを表示パネル６に表示する。
【００３１】
このように、本実施の形態によれば、図３に示すように画像表示装置１０の起動時に圧縮画像データＡＤの圧縮処理が行われるので（期間Ａ）、センサ２１より階数に関する情報を受け取った時刻、すなわち、画像の表示指示を受け取った時刻Ｔ１においては、既に、伸張された画像データＢＤがメインメモリ３に格納されている。これにより、画像表示装置１０は、時刻Ｔ１から即座に画像の表示処理を実行することができるのである。
【００３２】
したがって、本実施の形態では、表示対象である圧縮画像データＡＤの伸張処理期間が長く、画像の表示指示を受ける時刻Ｔ１から画像の表示が期待されるまでの時刻Ｔ２までの期間が、画像の伸張処理期間Ａと画像の表示処理期間Ｂを加算した期間よりも短い期間であるような場合であっても、画像の表示処理期間Ｂが終了した時点において、画像の表示が期待される時刻Ｔ２は経過していない。つまり、最低限、画像の表示処理に要する期間Ｂを確保できるように、画像の表示指示が得られれば、期待される時刻Ｔ２に画像を表示させることが可能となるのである。
【００３３】
言い換えれば、画像表示装置１０の起動時に伸張処理を実行することによって、元の画像の内容によって伸張処理期間が異なるため圧縮画像データＡＤの表示までの最長時間を規定できないという問題点を解決しているのである。
【００３４】
そして、本実施の形態のように、エレベータ２０から不定期に画像の表示指示が送信されてくる場合であっても、画像の表示指示を受け取ってから即座に画像の表示処理を実行できるので、期待される時刻Ｔ２に画像を表示させることを可能としているのである。
【００３５】
また、本実施の形態によれば、伸張後の画像データＢＤを、ＦＬＡＳＨメモリよりアクセス速度の早いＤＲＡＭ等からなるメインメモリ３に格納しているので、より処理速度の短縮を図ることが可能である。
【００３６】
また、本実施の形態においては、圧縮画像データＡＤの記憶手段としてＦＬＡＳＨメモリ２を用いているが、圧縮画像データＡＤの読み出しは、高速性が要求されない起動時に行われるので、圧縮画像データＡＤをハードディスクなどの磁気メモリに格納するようにしてもよい。
【００３７】
【発明の効果】
以上説明したように、請求項１記載の発明では、画像表示装置の起動時において、圧縮画像データを伸張するとともに、伸張後の画像データを第２の記憶手段に格納するので、画像の表示処理を行う際には、画像の伸張処理を行う必要がなく処理の高速化を図ることが可能である。
【００３８】
請求項２に記載の発明では、画像データが格納される第２の記憶手段は、第１の記憶手段に比して、データアクセス処理が高速であるので、画像の表示処理をより高速化させることが可能である。
【００３９】
請求項３に記載の発明では、第２の記憶手段は、画像表示装置のメインメモリであるので、画像の表示処理を行う際には、ＣＰＵが即座に表示処理を実行可能である。
【００４０】
請求項４に記載の発明では、画像表示装置に対する画像の表示指示は、画像表示装置を備えた所定の機器の動作に応じて不定期に発生されるので、圧縮画像の伸張処理を考慮した画像処理時間を充分に確保することができないが、本発明によれば、圧縮画像を事前に伸張するので、期待される時間に画像を表示させることが可能である。
【００４１】
請求項５に記載の発明では、表示指示が発生した時点から画像が表示されることが期待されるまでの期間は、伸張処理および表示処理に要する期間より短い期間であるので、圧縮画像の伸張処理を行った場合には、期待される時間に画像を表示することが不可能であるが、本発明によれば、圧縮画像を事前に伸張するので、期待される時間に画像を表示させることが可能である。
【図面の簡単な説明】
【図１】画像表示装置の機能ブロック図である。
【図２】エレベータに備えられた画像表示装置を示す図である。
【図３】本発明の画像表示装置による画像の表示シーケンスを示す図である。
【図４】従来の画像表示装置による画像の表示シーケンスを示す図である。
【符号の説明】
１　　ＣＰＵ
２　　ＦＬＡＳＨメモリ
３　　メインメモリ
４　　表示コントロールＩＣ
５　　画像メモリ
６　　表示パネル
【図１】
2004125866.tif 000003
【図２】
2004125866.tif 000004
【図３】
2004125866.tif 000005
【図４】
2004125866.tif 000006